(57)【要約】      （修正有）【課題】本考案は、経過した一月のカレンダーを、そのままの状態で、ダイアリーとして保存を容易にし、メモ欄記入用の筆記具をカレンダーに常備する構造を有する多目的カレンダーを提供する。【解決手段】経過した月単位のカレンダーを容易に切り離せるミシン目等を加工し、行事、予定等の記入された、切り離した月のカレンダーを、その状態のままにダイアリーとして１年１２枚を市販のリング状留め具等で容易に保存できるよう、任意の場所に適当な孔をあけた。換言すれば、ダイアリーをカレンダーとした。カレンダー面に、任意の状態の切り込み線を複数本設置し、その切り込み線の間を、筆記具を潜らせることで、ホルダーとした。【選択図】図１
0003120970.tif 000002
【実用新案登録請求の範囲】
【請求項１】
経過したメモつきの、月カレンダーを、切り取ったあと、その状態のまま、ダイアリーとして、リング状止め具等で１年分１２枚の保存を容易にする孔を有する。
【請求項２】
カレンダーの任意の場所にボールペン等筆記具を保持する、切り込み２ヶ所を有する。
【考案の詳細な説明】
【技術分野】
【０００１】本考案は経過した一月のカレンダーを、そのままの状態で、ダイアリーとして保存を容易にし、メモ欄記入用の筆記具をカレンダーに常備する構造を有する。
【背景技術】
【０００２】従来のカレンダーはメモ欄つきのものにあっても、使い捨てであり、行事、予定等を記入する筆記具がカレンダーには設備されていなかった。
【考案の開示】
【考案が解決しようとする課題】
【０００３】経過した１月又は複数月単位のメモ欄つきカレンダーは廃棄されていた。【０００４】カレンダーに行事、予定等記入の筆記具が常備されていなかった。
【課題を解決するための手段】
【０００５】４のミシン目等に沿って切りとられる、経過月単位のカレンダーの任意の部分に、孔２をもうけ、リング状とめ具等で、容易に１年分１２枚を一括して保存できるようにした。【０００６】カレンダーの任意の部分に、適切な切り込みを２ヶ所設け、筆記具を、切り込み（１）と（２）の間を、潜らせることでホルダーとした。
【考案の効果】
【０００７】３日坊主の代名詞とも表されるダイアリーの記帳、その継続が困難である事柄を、カレンダーがそのままダイアリーとなることで、換言すれば、ダイアリーをカレンダーにしたことで新規性もあり、１年間１２ヶ月の行事等の記録保存が非常に容易にできる。
１年の記録の保存を達成した満足感は、継続は力なり、の言もあるように、使用者の人格形成にも好影響を与えるものと確信する。
又経過した１ヶ月を切り取ると１面に複数月列記した最後の月の次の月が表示されるのも中期的予定をみるのに、非常に便利である。【０００８】カレンダーに筆記具を常備することで、筆記具を探し回る不便さを解消した。
【実施例】
【０００９】添付図面を参照して本考案の多目的カレンダーの実施例を示す。
【図面の簡単な説明】
【００１０】
【図１】多目的カレンダーを示した平面図である。
【図２】筆記具をカレンダー上に留め置く、切り込みホルダーの実施図である。
【符号の説明】
【００１１】１  多目的カレンダーの平面図である。
２  ミシン目５に沿って切り取られた経過後のカレンダーを、そのままの状態で永年保存のダイアリーとし、１年分１２枚を市販のリング状とめ具等で容易に一括保存するための孔である。
３  ポールペン等筆記具を固定する切込みである。
４  経過した月のカレンダーを容易に切り取るミシン目、または刃形線である。
５  曜日、日付を規則的に配列し、メモ部分を有する１ヶ月単位のカレンダーである。
【図１】
0003120970.tif 000003
【図２】
0003120970.tif 000004
【手続補正書】
【提出日】平成18年2月16日(2006.2.16)
【手続補正１】
【補正対象書類名】実用新案登録請求の範囲
【補正対象項目名】全文
【補正方法】変更
【補正の内容】
【実用新案登録請求の範囲】
【請求項１】
各月カレンダー５を切り取り可能とした多目的カレンダーであって、
前記各月カレンダー５には、切り取り後、経過月のメモ付きの状態のまま、ダイアリーとして、リング状留め具等で保存するための孔２を任意の部分に設けてなることを特徴とする多目的カレンダー。
【請求項２】
前記各月カレンダー５の切り取りのためのミシン目４または刃形線が設けられてなる請求項１に記載の多目的カレンダー。
【請求項３】
さらに、筆記具を保持する切り込み３（１）および３（２）により構成される筆記具ホルダーを備えてなる請求項１または２に記載の多目的カレンダー。
【手続補正２】
【補正対象書類名】明細書
【補正対象項目名】全文
【補正方法】変更
【補正の内容】
【考案の詳細な説明】
【技術分野】
【０００１】
本考案は、多目的カレンダーに関するものであり、さらに詳しくは、経過した一ヶ月の各月カレンダーを、そのままの状態で、ダイアリーとして保存を容易にし、メモ欄記入用の筆記具を常備する構造を有する多目的カレンダーに関するものである。
【背景技術】
【０００２】
従来のカレンダーはメモ欄つきのものにあっても、使い捨てであり、行事、予定等を記入する筆記具がカレンダーには設備されていなかった。
【考案の開示】
【考案が解決しようとする課題】
【０００３】
従来、経過した一ヶ月又は複数月単位のメモ欄つきカレンダーは廃棄されていた。
【０００４】
また、カレンダーに行事、予定等記入の筆記具が常備されていなかったため、記入の際に筆記具を探し回る不便さがあった。
【０００５】
従って、本考案の課題は、前記の如き事情に鑑み、経過したメモつきの各月カレンダーを切り取った後、その状態のままダイアリーとして保存することができ、かつ、筆記具を常備した多目的カレンダーを提供することにある。
【課題を解決するための手段】
【０００６】
そこで、本考案者は、前記課題を解決するため鋭意検討を重ねた結果、図１に示すミシン目４等に沿って切り取られる、経過月単位の各月カレンダーの任意の部分に、孔２をもうけ、リング状留め具等で、容易に１年分１２枚を一括して保存できるようにした。
【０００７】
さらに、多目的カレンダーの任意の部分に、適当な切り込みを２ヶ所設け、筆記具を、切り込み３（１）と３（２）の間を、潜らせることで筆記具ホルダーとした。
【０００８】
かくして、本考案によれば、
各月カレンダー５を切り取り可能とした多目的カレンダーであって、
前記各月カレンダー５には、切り取り後、経過月のメモ付きの状態のまま、ダイアリーとして、リング状留め具等で保存するための孔２を任意の部分に設けてなることを特徴とする多目的カレンダー
が提供される。
【０００９】
また、本考案の実施態様として、前記各月カレンダー５の切り取りのためのミシン目４または刃形線が設けられてなる多目的カレンダー
が提供される。
【００１０】
さらに、筆記具を保持する切り込み３（１）および３（２）により構成される筆記具ホルダーを備えてなる多目的カレンダー
が提供される。
【考案の効果】
【００１１】
各月カレンダー５には孔２を設けてあるので、日々のメモを記入した各月カレンダーを切り取った後、孔２を利用してリング状留め具等により各月カレンダーを容易に保存することができる。
【００１２】
３日坊主の代名詞とも表されるダイアリーの記帳、その継続が困難である事柄を、カレンダーがそのままダイアリーとなることで、換言すれば、ダイアリーをカレンダーにしたことでかかるカレンダーには新規性もあり、１年間１２ヶ月の行事等の記録保存が非常に容易にできる。
１年の記録の保存を達成した満足感は、継続は力なり、の言もあるように、使用者の人格形成にも好影響を与えるものと確信する。
【００１３】
又、経過した１ヶ月の各月カレンダーを切り取ると第１面に複数月列記した場合の最後の月の次の月が表示されるのも中期的予定をみるのに、非常に便利である。
【００１４】
さらに、本考案に係る多目的カレンダーに筆記具ホルダーを常備することで、筆記具を探し回る不便さを解消できる。
【考案を実施するための最良の形態】
【００１５】
[実施例]
添付図面を参照して本考案の多目的カレンダーの実施例を示す。
【００１６】
図１によれば、本考案に係る多目的カレンダー１が例示される。
各月カレンダー５は、ミシン目４に沿って多目的カレンダーから切り取り可能にしてある。図１には、第１面に１月、２月および３月の各月カレンダー５が例示されており、該各月カレンダー相互の間にもミシン目が設けられている。
【００１７】
かかる各月カレンダーには、各々、曜日、日付が規則的に配列され、メモ記入部分が配置されている。
【００１８】
また、同図によれば、各月カレンダーにそれぞれ孔２が備えられている。孔２は、ミシン目４に沿って切り取られた経過後のカレンダー５を、そのままの状態で永年保存のダイアリーとし、１年分１２枚を市販のリング状留め具等で容易に一括保存するための孔である。
【００１９】
図１において、３（１）、３（２）は、ボールペン等筆記具を固定する切り込みであり、図２には、筆記具を切り込み３（１）、３（２）によるホルダーに挿入した状態を示したものである。つまり、ボールペン等の筆記具６を右側の切り込み３（１）から挿入し、左側の切り込み３（２）にその先端を挿入することにより固定される。  
【図面の簡単な説明】
【００２０】
【図１】本考案に係る多目的カレンダーを示した平面図である。
【図２】筆記具をカレンダー上に留め置く、切り込みホルダーの実施図である。
【符号の説明】
【００２１】
１        多目的カレンダー
２        孔
３（１）  切り込み
３（２）  切り込み
４        ミシン目または刃形線
５        各月カレンダー
６        筆記具
【手続補正３】
【補正対象書類名】図面
【補正対象項目名】全図
【補正方法】変更
【補正の内容】
【図１】
0003120970.tif 000005
【図２】
0003120970.tif 000006